(57)【要約】【課題】ガラスに負荷をかけることなく機器本体に簡単に取り付けることを目的とする。【解決手段】本体１前面に色付きガラス５、あるいは裏面に配色を施した印刷ガラス５等を、本体１を構成する前板６にガラス５に施した複数個の取付け穴を介して、六角穴等を有する段付き飾りねじ７、パッキン９あるいは筒状保護カラー１０等を併用し固定する。【選択図】図１
2006057972.tif 000002
【特許請求の範囲】
【請求項１】
機器本体の後面あるいは側面等から吸気し、本体前面に設けた吹出し口から循環空気を送り出す暖冷房機器において、吹出し口を除く本体前面に色付きガラス、あるいは裏面に配色を施した印刷ガラス等を、本体を構成する前板にガラスに施した複数個の取付け穴を介して六角穴等を有する段付き飾りねじで固定する構成において、段付き飾りねじの首下段部の長さは、ガラスの板厚寸法よりやや長くし、ガラスの裏面より飛び出すようにし、他方前板のねじ穴部はガラスとの接触面より上記飛び出た寸法だけ窪みを設け、前記段付きねじの段部を受けるようにした暖冷房機器。
【請求項２】
段付き飾りねじとガラスの間に弾力性のあるパッキン等を挟み込む構成において、段付き飾りねじの首下段部の長さは、ガラスの板厚寸法とパッキン等の板厚寸法を加えた寸法とほぼ同寸法にし、且つパッキンの厚さは、前板ねじ穴部に設けた窪みの深さ寸法より大きくした請求項１記載の暖冷房機器。
【請求項３】
段付き飾りねじとガラスに施した複数個の取付け穴との間に、弾力性のある樹脂製あるいはゴム製で且つ、段付き飾りねじの頭の径よりやや小さめのフランジ付き筒状保護カラーを設け、一方の段付き飾りねじの首下段部には円周方向に溝を形成し、他方の筒状保護カラーの内面には前記溝に一定のクリアランスをもって圧入嵌合される突起を形成してなる請求項２記載の暖冷房機器。
【請求項４】
ガラスの上部または下部のどちらか一方を複数個のねじで固定し、他方を板金で押える構成で、該板金との接触面に弾力性のある板状パッキンを介してガラスを固定した請求項１〜３のいずれか１項記載の暖冷房機器。
【発明の詳細な説明】
【技術分野】
【０００１】
本発明は、循環空気を介して室内を暖冷房する暖冷房機器に関するものである。
【背景技術】
【０００２】
従来、この種の暖冷房機器としては本体前面が樹脂製あるいは板金製で構成されており、外郭構成としてガラスを取り入れたものはない。しかし、図１０に示すように、ガラスに設けた穴にエラストマーを挿入し、中空円筒体とねじ等を用いた窓ガラスの固定装置がある。
【０００３】
図１０において、１０１は窓ガラス、１０２はガラスの固定部材挿入孔、１０３は固定部材でありフランジ１０５と、全長にわたり雌ねじ１０６を有し窓ガラスの厚みより若干長い円筒体１０４と、有孔座金１０７と、円筒体に座金を螺着するねじ１０８と、圧縮不能のエラストマーで作った中空円筒体１０９からなり、中空円筒体と円筒体をガラスの固定部材挿入孔１０２に入れた後、円筒体に係止するまでねじによって座金をねじ付け固定する構造とし、締付けにより中空円筒体の端面は圧壊されて玉縁１１１を形成する。また、窓ガラスを結合すべき支持体１１０はねじ１０８の反対側のねじ１１２によって円筒体に螺着される構成となっている（例えば、特許文献１参照）。
【特許文献１】特開平５−２１４８７６号公報（第２図）
【発明の開示】
【発明が解決しようとする課題】
【０００４】
しかしながら前記従来の構成では、ガラスを直接支持体に固定することができないばかりでなく、エラストマーの圧壊によりガラスに設けた挿入孔に大きな負荷がかかる危険性を秘めている。また、ガラスを固定するための部材も多くコスト高である。さらには圧壊されたエラストマーのため、ガラスと支持体の間に隙間が生じ、かつ、ガラスの孔と取付けねじ周囲の見栄えが悪くなるという課題を有していた。
【０００５】
本発明は前記従来の課題を解決するもので、少ない部材でガラスを支持体に固定することができ、さらには視覚的な見栄えもよい暖冷房機器を提供することを目的としている。
【課題を解決するための手段】
【０００６】
前記従来の課題を解決するために、本発明の暖冷房機器は、吹出し口を除く本体前面に色付きガラス、あるいは裏面に配色を施した印刷ガラス等を、本体を構成する前板に六角穴等を有する段付き飾りねじ、パッキンあるいは筒状保護カラー等を併用して固定したものである。
【０００７】
これによって、ガラスに負荷をかけることなく直接本体に固定でき、さらには視覚的に見栄えのよいものが提供できる。
【０００８】
また、機器の本体カラーであるガラスをユーザーの好みに応じ簡単に交換することもできる。
【発明の効果】
【０００９】
本発明の暖冷房機器は、ガラスに負荷をかけることなく直接本体に固定でき、さらには視覚的に見栄えのよいものが提供できるとともに、機器の本体カラーであるガラスをユーザーの好みに応じ簡単に交換することもできる。
【発明を実施するための最良の形態】
【００１０】
第１の発明は、機器本体の後面あるいは側面等から吸気し、本体前面に設けた吹出し口から循環空気を送り出す暖冷房機器において、吹出し口を除く本体前面に色付きガラス、あるいは裏面に配色を施した印刷ガラス等を、本体を構成する前板にガラスに施した複数個の取付け穴を介して六角穴等を有する段付き飾りねじで固定する構成において、段付き飾りねじの首下段部の長さは、ガラスの板厚寸法よりやや長くし、ガラスの裏面より飛び出すようにし、他方前板のねじ穴部はガラスとの接触面より上記飛び出た寸法だけ窪みを設け、前記段付きねじの段部を受けるようにしたものであり、ねじの締付けによるガラス面への負荷もなく、簡単にガラスを固定することができる。
【００１１】
また、ユーザーの好みに応じ機器の本体カラーであるガラスを飾りねじを取り外すことで簡単に交換できるようにしたものである。
【００１２】
第２の発明は、段付き飾りねじとガラスの間に弾力性のあるパッキン等を挟み込む構成において、段付き飾りねじの首下段部の長さは、ガラスの板厚寸法とパッキン等の板厚寸法を加えた寸法とほぼ同寸法にし、且つパッキンの厚さは、前板ねじ穴部に設けた窪みの深さ寸法より大きくしたものであり、段付き飾りねじの締め付けでパッキン等が圧縮され、ガラスの裏面より飛び出たねじの段部は、前板のねじ穴部に設けた窪みで受けるようになっており、ガラスの表面を傷付けることなくより確実にガラスを固定することができる。
【００１３】
第３の発明は、段付き飾りねじとガラスに施した複数個の取付け穴との間に、弾力性のある樹脂製あるいはゴム製で且つ、段付き飾りねじの頭の径よりやや小さめのフランジ付き筒状保護カラーを設け、一方の段付き飾りねじの首下段部には円周方向に溝を形成し、他方の筒状保護カラーの内面には前記溝に一定のクリアランスをもって圧入嵌合される突起を形成したものであり、ガラスを固定した場合でも樹脂製あるいはゴム製の保護カラーのフランジがねじ頭よりはみ出すことなく、また、ガラスの取付け時あるいは取外し時に、ガラスの傷つき防止のための保護カラーが段付き飾りねじから脱落することのないようにしたものである。
【００１４】
第４の発明は、ガラスの上部または下部のどちらか一方を複数個のねじで固定し、他方を板金で押える構成で、該板金との接触面に弾力性のある板状パッキンを介してガラスを固定したものであり、少ないねじ本数で確実にガラスを固定することができ、ガラス本来の素材感を生かせる暖冷房機器を提供するものである。
【００１５】
以下、本発明の実施の形態について、図面を参照しながら説明する。なお、本実施の形態によって本発明が限定されるものではない。
【００１６】
（実施の形態１）
図１は、本発明の第１の実施の形態における暖冷房機器の正面図、図２はその側面図である。また、図３は図２に示すＡ部の分解図である。
【００１７】
図１、図２において、機器本体１の後面より吸気された空気２は機器本体１内で熱交換され、循環空気３となり吹出し口４から送り出される。５は裏面に配色を施した印刷ガラスであり前板６に六角穴等を有する段付き飾りねじ７で固定されている。８はガラスの受け金具である。
【００１８】
以上のように構成された暖冷房機器について、以下ガラスの固定方法・作用について説明する。
【００１９】
吹出し口４の上部に設けてあるガラスの受け金具８にガラス５の下部端面が支えられ、複数個の段付きねじ７で前板６に固定される。図３の分解図でその詳細を説明する。
【００２０】
ｔ１は段付きねじの首下段部寸法であり、ｔ２はガラスの板厚、ｔ３は前板ねじ部の段押し深さである。これらの関係は、ｔ１＞ｔ２で且つｔ１＝ｔ２＋ｔ３である。これによるとガラスの穴５ａを貫通する段付きねじ７はその段部先端７ａが、前板６のねじ部段押し面６ａに当たるまで締め付けられるが、ｔ１、ｔ２、ｔ３が前記の関係であるため、ガラスに負荷をかけることなく直接本体に固定することができる。
【００２１】
（実施の形態２）
図４は、本発明の第２の実施の形態を示す図であり、図を用いて説明する。
【００２２】
９は弾力性のある樹脂製あるいはゴム製のパッキンであり、段付きねじ７とガラス５の間に挟支される。ｔ４はパッキン９の板厚であり、ｔ１＝ｔ２＋ｔ４で且つｔ４＞ｔ３の関係になっている。段付きねじ７を締め付けるとパッキン９は圧縮され、ガラス５の裏面より飛び出た段付きねじ７の段部７ａは、前板６のねじ部段押し面６ａに当たり固定される。これによりガラスはその表面を傷付けることなく、より確実に本体に固定することができる。ちなみにｔ３は０．５ｍｍ〜１ｍｍ、ｔ４は１ｍｍ〜２ｍｍ程度が実用的である。
【００２３】
（実施の形態３）
図５、図６は本発明の第３の実施の形態を示す図であり、図を用いて説明する。
【００２４】
１０は弾力性のある樹脂製あるいはゴム製で且つ、段付き飾りねじ７の頭の径よりやや小さめのフランジ１０ａ付き筒状保護カラーであり、その内面には、段付き飾りねじ７の首下段部に設けた円周方向の溝７ｂに、一定のクリアランスをもって圧入嵌合される突起１０ｂが形成されている。これにより保護カラー１０は段付き飾りねじ７と一体になり、ガラスの取付け時あるいは取外し時に、保護カラーが段付き飾りねじから脱落することのないようにしたものである。また保護カラー１０のフランジ１０ａが段付き飾りねじ７のねじ頭よりはみ出すこともなく、少ない部品点数で確実にガラスを固定することができ、外観の見栄えも良いものにできる。
【００２５】
（実施の形態４）
図７は、本発明の第４の実施の形態における暖冷房機器の正面図、図８はその側面図であり、図９は図８に示すＢ部の部分断面図である。
【００２６】
吹出し口４の上方にあるガラス受け金具８をＬ型に構成しその内側に弾力性のある板状パッキン１１を備え、ガラス５はその下方を該パッキン１１で支え、ガラス受け金具８で固定されている。これにより少ないねじ本数で確実にガラスを固定することができ、ガラス本来の素材感を生かせる暖冷房機器が提供できるものである。
【産業上の利用可能性】
【００２７】
以上のように、本発明にかかる暖冷房機器によれは、本体前面にガラスを配置する構成において、段付きねじとパッキンあるいは保護カラー等との組合せにより、ガラスに負荷をかけることなく確実に本体に固定することができるため、本体にガラス板を取り付ける機器全般に適用することができる。
【図面の簡単な説明】
【００２８】
【図１】本発明の実施の形態１における暖冷房機器の正面図
【図２】同暖冷房機器の側面図
【図３】同暖冷房機器の部分分解図
【図４】本発明の実施の形態２における暖冷房機器の部分分解図
【図５】本発明の実施の形態３における暖冷房機器の部分分解図
【図６】同暖冷房機器の部分分解図
【図７】本発明の実施の形態４における暖冷房機器の正面図
【図８】同暖冷房機器の側面図
【図９】同暖冷房機器の部分分解図
【図１０】従来の機器における窓ガラスの固定装置の断面図
【符号の説明】
【００２９】
１  機器本体
４  吹出し口
５  ガラス
６  前板
７  段付き飾りねじ
８  受け金具
１１  板状パッキン
【図１】
2006057972.tif 000003
【図２】
2006057972.tif 000004
【図３】
2006057972.tif 000005
【図４】
2006057972.tif 000006
【図５】
2006057972.tif 000007
【図６】
2006057972.tif 000008
【図７】
2006057972.tif 000009
【図８】
2006057972.tif 000010
【図９】
2006057972.tif 000011
【図１０】
2006057972.tif 000012